(57)【要約】【課題】血液成分の測定に関する精度が向上する血液成分測定装置を提供する。【解決手段】血液成分測定装置１０は生体Ｂに光を照射し、光を受光する検出部４０と、検出部４０が設けられる本体２０と、生体Ｂと検出部４０との距離を調節できるように検出部４０を本体２０に対して移動させる調節部２４を備える。【選択図】図３
2020018368.tif 000002
【特許請求の範囲】
【請求項１】
生体の血液成分を測定する血液成分測定装置であって、
前記生体に光を照射し、光を受光する検出部と、
前記検出部が設けられる本体と、
前記生体と前記検出部との距離を調節できるように前記検出部を前記本体に対して移動させる調節部とを備える
血液成分測定装置。
【請求項２】
前記調節部は電動アクチュエータを含む
請求項１に記載の血液成分測定装置。
【請求項３】
前記電動アクチュエータを制御する制御部をさらに含む
請求項２に記載の血液成分測定装置。
【請求項４】
前記制御部は前記検出部の測定結果を用いて前記電動アクチュエータを制御する
請求項３に記載の血液成分測定装置。
【請求項５】
前記制御部は前記検出部により脈波が検出されない場合、生体と前記検出部との距離が変化するように前記調節部に前記検出部を移動させる
請求項４に記載の血液成分測定装置。
【請求項６】
前記制御部は前記検出部により脈波が検出されない場合、前記検出部が生体に近づくように前記調節部に前記検出部を移動させる
請求項５に記載の血液成分測定装置。
【請求項７】
前記制御部は前記検出部により脈波が検出されない場合に前記検出部の位置が生体に近づくように前記調節部に前記検出部を所定の調節距離だけ移動させる第１処理と、前記検出部が前記所定の調節距離を移動した場合に前記検出部により脈波が検出されたか否かを確認する第２処理とを、交互に繰り返す
請求項６に記載の血液成分測定装置。
【請求項８】
前記制御部は前記第１処理および前記第２処理の繰り返しにより前記検出部の位置が所定の終了位置に到達した場合、前記調節部に前記検出部を所定の開始位置に移動させ、かつ、前記検出部の感度を変更し、前記第１処理および前記第２処理を交互に繰り返す
請求項７に記載の血液成分測定装置。
【請求項９】
前記制御部は前記検出部の感度変更の実行回数の増加にともない前記検出部の感度を高くする
請求項８に記載の血液成分測定装置。
【請求項１０】
生体の血液成分を測定する血液成分測定装置であって、
前記生体に光を照射し、光を受光する検出部と、
前記検出部が設けられる本体と、
前記検出部の検出結果を用いて前記検出部の感度を調節する制御部とを備える
血液成分測定装置。
【請求項１１】
前記制御部は前記検出部により脈波が検出されない場合、前記検出部の感度を変更する
請求項１０に記載の血液成分測定装置。
【請求項１２】
前記制御部は前記検出部により脈波が検出されない場合、前記検出部の感度を高くする
請求項１１に記載の血液成分測定装置。
【請求項１３】
前記生体に関する情報を報知する報知部をさらに備え、
前記制御部は前記検出部により脈波が検出された場合、前記報知部に情報を報知させる
請求項３〜１２のいずれか一項に記載の血液成分測定装置。
【請求項１４】
前記制御部は前記検出部により脈波が検出された場合、前記検出部に前記血液成分を測定させる
請求項３〜１３のいずれか一項に記載の血液成分測定装置。
【請求項１５】
前記検出部は少なくとも１つの発光部および複数の受光部を含み、
前記制御部は前記複数の受光部の少なくとも１つにより脈波が検出された場合、前記脈波を検出した前記受光部を用いた前記血液成分の測定を前記検出部に実行させる
請求項１４に記載の血液成分測定装置。
【発明の詳細な説明】
【技術分野】
【０００１】
本発明は生体を流れる血液中の成分を測定する血液成分測定装置に関する。
【背景技術】
【０００２】
生体の血液成分を測定する血液成分測定装置が知られている。血液成分測定装置により測定される血液成分は例えばグルコースまたは脂質である。特許文献１は生体に光を照射し、生体からの反射光を受光し、その結果を参照して血液成分を測定する非侵襲型測定装置の一例を開示している。この血液成分測定装置では、生体の個差に基づく測定ばらつきを抑制するため、生体の脈波に同期して強さが変動している部分、すなわち、動脈におけるシッフ塩基型の酸化グリコヘモグロビンをラマン分光分析により測定する。これにより、生体内の動脈血における酸化ヘモグロビン以外の物質の影響が抑えられ、血液成分の分析の精度が高くなると説明されている。
【先行技術文献】
【特許文献】
【０００３】
【特許文献１】特開２００２−８５３８５号公報
【発明の概要】
【発明が解決しようとする課題】
【０００４】
生体の個差は測定対象物を特定することだけでは解消されないおそれがある。例えば、人体に対する検出部の位置、または、検出部の感度等のような生体の個差以外の要因が測定結果に影響を及ぼすことがある。
本発明の目的は血液成分の測定に関する精度が向上する血液成分測定装置を提供することである。
【課題を解決するための手段】
【０００５】
本発明に関する血液成分測定装置の一形態は、生体の血液成分を測定する血液成分測定装置であって、前記生体に光を照射し、光を受光する検出部と、前記検出部が設けられる本体と、前記生体と前記検出部との距離を調節できるように前記検出部を前記本体に対して移動させる調節部とを備える。
【０００６】
本発明に関する血液成分測定装置の別の一形態は、生体の血液成分を測定する血液成分測定装置であって、前記生体に光を照射し、光を受光する検出部と、前記検出部が設けられる本体と、前記検出部の検出結果を用いて前記検出部の感度を調節する制御部とを備える。
【発明の効果】
【０００７】
本発明に関する血液成分測定装置によれば、血液成分の測定に関する精度が向上する。
【図面の簡単な説明】
【０００８】
【図１】実施の形態１の血液成分測定装置の使用状態の一例を示す正面図。
【図２】図１の血液成分測定装置の分解斜視図。
【図３】図１の血液成分測定装置のブロック図。
【図４】検出部の位置が第１位置である場合の図１のＤ５−Ｄ５線に沿う断面図。
【図５】検出部の位置が第２位置である場合の図１のＤ５−Ｄ５線に沿う断面図。
【図６】検出部の位置と受光量との関係の一例を示すグラフ。
【図７】検出部の感度と受光量との関係の一例を示すグラフ。
【図８】測定制御を示すフローチャート。
【図９】経口ブドウ糖負荷試験の結果の一例を示すグラフ。
【図１０】実施の形態２の測定制御を示すフローチャート。
【図１１】実施の形態３の検出部の正面図。
【発明を実施するための形態】
【０００９】
(血液成分測定装置が取り得る形態の一例)
本発明に関する血液成分測定装置の一形態は、生体の血液成分を測定する血液成分測定装置であって、前記生体に光を照射し、光を受光する検出部と、前記検出部が設けられる本体と、前記生体と前記検出部との距離を調節できるように前記検出部を前記本体に対して移動させる調節部とを備える。
調節部は生体に対する検出部の位置が血液成分の測定に適した位置となるように検出部を本体に対して移動させ、生体に対する検出部の位置を微調整できる。このため、血液成分の測定に関する精度が向上する。
【００１０】
前記血液成分測定装置の一例によれば、前記調節部は電動アクチュエータを含む。
このため、調節部を容易に操作できる。
【００１１】
前記血液成分測定装置の一例によれば、前記電動アクチュエータを制御する制御部をさらに含む。
調節部が自動的に制御されるため、利便性が高くなる。
【００１２】
前記血液成分測定装置の一例によれば、前記制御部は前記検出部の測定結果を用いて前記電動アクチュエータを制御する。
制御部は検出部の測定結果を参照して生体に対する検出部の位置を血液成分の測定に適した位置に近づけることができるため、血液成分の測定に関する精度がより向上する。
【００１３】
前記血液成分測定装置の一例によれば、前記制御部は前記検出部により脈波が検出されない場合、生体と前記検出部との距離が変化するように前記調節部に前記検出部を移動させる。
試験の結果から、生体に対する検出部の位置が、検出部により脈波が検出される位置である場合、検出部による血液成分の測定に関する精度がより向上することが確認された。上記血液成分測定装置ではこの結果を踏まえ、検出部により脈波が検出されない場合、生体と検出部との距離を変化させ、脈波が検出される検出部の位置をサーチする。このため、血液成分の測定に関する精度がより向上する。
【００１４】
前記血液成分測定装置の一例によれば、前記制御部は前記検出部により脈波が検出されない場合、前記検出部が生体に近づくように前記調節部に前記検出部を移動させる。
脈波が検出される検出部の位置のサーチにおいて、検出部が生体から離れた位置から生体に近づけられる。検出部の位置のサーチに関する検出部の初期位置を生体から離れた位置に設定できるため、脈波が検出される検出部の位置が生体に近い場合に、その検出部の位置の検出漏れが生じにくい。
【００１５】
前記血液成分測定装置の一例によれば、前記制御部は前記検出部により脈波が検出されない場合に前記検出部の位置が生体に近づくように前記調節部に前記検出部を所定の調節距離だけ移動させる第１処理と、前記検出部が前記所定の調節距離を移動した場合に前記検出部により脈波が検出されたか否かを確認する第２処理とを、交互に繰り返す。
このため、脈波が検出される検出部の位置がより適切に検出される。
【００１６】
前記血液成分測定装置の一例によれば、前記制御部は前記第１処理および前記第２処理の繰り返しにより前記検出部の位置が所定の終了位置に到達した場合、前記調節部に前記検出部を所定の開始位置に移動させ、かつ、前記検出部の感度を変更する第３処理を実行し、前記第１処理および前記第２処理を交互に繰り返す。
検出部が所定の終了位置に到達するまでの間に脈波が検出される検出部の位置が検出されない場合がある。これには例えば検出部の感度が適合していないことが関係している場合がある。上記血液成分測定装置ではその場合に検出部の感度が変更され、検出部の位置を所定の開始位置から所定の終了位置に向けて変更する処理が再び実行される。このため、脈波が検出される検出部の位置がより適切に検出される。
【００１７】
前記血液成分測定装置の一例によれば、前記制御部は前記第３処理の実行回数の増加にともない前記検出部の感度を高くする。
このため、ノイズが小さい状態で脈波が検出される可能性が高くなる。
【００１８】
本発明に関する血液成分測定装置の一形態は、生体の血液成分を測定する血液成分測定装置であって、前記生体に光を照射し、光を受光する検出部と、前記検出部が設けられる本体と、前記検出部の検出結果を用いて前記検出部の感度を調節する制御部とを備える。
制御部は生体に対する検出部の感度が血液成分の測定に適した感度となるように検出部の感度を調節できる。このため、血液成分の測定に関する精度が向上する。
【００１９】
前記血液成分測定装置の一例によれば、前記制御部は前記検出部により脈波が検出されない場合、前記検出部の感度を変更する。
このため、脈波を適切に検出できる。
【００２０】
前記血液成分測定装置の一例によれば、前記制御部は前記検出部により脈波が検出されない場合、前記検出部の感度を高くする。
このため、ノイズが小さい状態で脈波が検出される可能性が高くなる。
【００２１】
前記血液成分測定装置の一例によれば、前記生体に関する情報を報知する報知部をさらに備え、前記制御部は前記検出部により脈波が検出された場合、前記報知部に情報を報知させる。
このため、検出部により脈波が検出されたことをユーザが認識できる。
【００２２】
前記血液成分測定装置の一例によれば、前記制御部は前記検出部により脈波が検出された場合、前記検出部に前記血液成分を測定させる。
このため、血液成分の測定に関する精度がより向上する。
【００２３】
前記血液成分測定装置の一例によれば、前記検出部は少なくとも１つの発光部および複数の受光部を含み、前記制御部は前記複数の受光部の少なくとも１つにより脈波が検出された場合、前記脈波を検出した前記受光部を用いた前記血液成分の測定を前記検出部に実行させる。
複数の受光部により脈波の検出が実行されるため、生体に対する検出部の位置に依存した脈波の検出漏れが生じにくい。
【００２４】
(実施の形態１)
図１の血液成分測定装置１０は生体Ｂの血液成分の測定に用いられる。ここでの血液成分とは血液成分測定装置１０による測定結果として出力するために測定される血液成分であり、血液中に含まれる種々の成分のうち、血液成分の測定の過程において測定される成分とは異なる。血液成分の一例は血液中の酸化ヘモグロビン、グルコース、および、脂質である。血液成分測定装置１０は生体Ｂの測定対象部位に装着可能であり、測定対象部位に装着された状態でユーザが携帯できるように構成される。測定対象部位に装着するための形態は任意に選択できる。第１例では、血液成分測定装置１０は腕輪型であり、測定対象部位の一例である手首に装着される。第２例では、血液成分測定装置１０は指輪型であり、測定対象部位の一例である指に装着される。図１では腕輪型の血液成分測定装置１０を例示している。
【００２５】
血液成分測定装置１０は測定対象部位の血液成分を非侵襲的に測定する機能を備える。血液成分測定装置１０を構成する主な要素は本体２０、検出部４０、および、バンド５０である。本体２０は検出部４０をはじめとする血液成分測定装置１０の各構成要素を保持する。検出部４０は発光および受光の機能を備える。バンド５０は本体２０が生体Ｂに接触した状態を維持できるように本体２０に取り付けられる。本体２０とバンド５０との結合に関する構成は任意に設定できる。第１例では、バンド５０は本体２０に固定される。この例では、ユーザにより本体２０とバンド５０とを任意に分離できないように本体２０とバンド５０とが結合される。第２例では、バンド５０は本体２０に対して着脱できる。この例では、ユーザの操作によりバンド５０が本体２０に結合された状態、および、バンド５０が本体２０から分離した状態を選択できるように本体２０とバンド５０とを結合する結合構造(図示略)が設けられる。結合構造の一例はフック、面ファスナー、および、ねじである。
【００２６】
図２は本体２０の分解斜視図である。本体２０はハウジング３０を備える。ハウジング３０は測定対象部位に配置できるように構成される。一例では、ハウジング３０は手首での血液成分の測定に適合する長方形の箱である。ハウジング３０を構成する材料は任意に選択できる。好ましい例では、機械的性質、熱的性質、化学的性質、および、電気的性質の１つまたは複数に優れた軽量な材料が選択される。ハウジング３０を構成する材料の一例は不飽和ポリエステル樹脂である。ハウジング３０には主壁３１および開口部３２が形成される。ハウジング３０内には血液成分測定装置１０の各構成要素が配置される収容空間３０Ａが形成される。主壁３１と開口部３２とは収容空間３０Ａに対して互いに反対側に設けられる。
【００２７】
検出部４０は測定対象部位に光を照射し、測定対象部位からの反射光を受光する機能を備える。検出部４０はハウジング３０に対して所定の方向に移動できるようにハウジング３０の収容空間３０Ａに配置される。所定の方向は例えばハウジング３０の主壁３１に直交する方向として規定される。所定の方向には第１方向および第２方向が含まれる。第１方向は検出部４０が本体２０から離れ、測定対象部位に近づく方向である。図示される例では、検出部４０が本体２０から離れるとは検出部４０がハウジング３０の主壁３１から離れることである。第２方向は検出部４０が本体２０に近づき、測定対象部位から離れる方向である。図示される例では、検出部４０が本体２０に近づくとは検出部４０がハウジング３０の主壁３１に近づくことである。
【００２８】
検出部４０を構成する主な要素は発光部４１、受光部４２、および、支持台４３である。発光部４１は血液成分の測定に適合する主要波長を含む近赤外光を出力する。発光部４１の一例は発光ダイオードである。主要波長は例えば測定対象の血液成分との関係において有意なピークを有する波長である。好ましい例では、主要波長は測定対象の血液成分に応じて決められる。測定対象の血液成分が酸化ヘモグロビンである場合、主要波長は５７０ｎｍ〜５８０ｎｍである。測定対象の血液成分がグルコースである場合、主要波長は１６００ｎｍである。測定対象の血液成分が血液中の脂質である場合、主要波長は１２００ｎｍである。
【００２９】
受光部４２は測定対象部位に反射された反射光を受光する。受光部４２の一例はフォトダイオードである。受光部４２は受光した光量に応じた信号を一定期間毎に制御部２３に送信する。受光部４２は感度を調節する増幅器を備える。受光部４２の感度は最も低い最低感度から最も高い最高感度の間で調節できる。
【００３０】
支持台４３は発光部４１および受光部４２を支持する。発光部４１および受光部４２は支持台４３に実装される。一例では支持台４３は矩形状の積層板である。積層板は例えば銅張積層板である。銅張積層板では絶縁体である基材として紙が用いられ、導体として銅箔が用いられる。発光部４１および受光部４２には支持台４３を介して電源部２２の電力が供給される。支持台４３は本体２０に対する移動にともなう反り、または、たわみのような変形が抑えられる強度を有する。支持台４３には第１主面４３Ａおよび第２主面４３Ｂが形成される。第１主面４３Ａはハウジング３０の内面３１Ａと平行であり、内面３１Ａと対向する。第２主面４３Ｂは第１主面４３Ａと平行であり、測定対象部位に面する。
【００３１】
検出部４０が取り得る種々の構成を例示する。第１例の検出部４０は複数の発光部４１、１つの受光部４２、および、１つの支持台４３を備える。複数の発光部４１および１つの受光部４２は支持台４３に設けられる。第２例の検出部４０は１つの発光部４１、複数の受光部４２、および、１つの支持台４３を備える。１つの発光部４１および複数の受光部４２は支持台４３に設けられる。第３例の検出部４０は複数の発光部４１、複数の受光部４２、および、１つの支持台４３を備える。複数の発光部４１および複数の受光部４２は支持台４３に設けられる。第４例の検出部４０は１または複数の発光部４１、１または複数の受光部４２、および、複数の支持台４３を備える。個々の支持台４３には発光部４１および受光部４２の一方だけが設けられる。個々の支持台４３における発光部４１および受光部４２の数は任意に決められる。第５例の検出部４０は１または複数の発光部４１、１または複数の受光部４２、および、複数の支持台４３を備える。個々の支持台４３には少なくとも１つの発光部４１および少なくとも１つの受光部４２が設けられる。個々の支持台４３における発光部４１および受光部４２の数は任意に決められる。第６例の検出部４０は１または複数の発光部４１、１または複数の受光部４２、および、複数の支持台４３を備える。複数の支持台４３には、発光部４１だけが設けられる支持台４３、受光部４２だけが設けられる支持台４３、ならびに、発光部４１および受光部４２の両方が設けられる支持台４３が含まれる。個々の支持台４３における発光部４１および受光部４２の数は任意に決められる。
【００３２】
図３は血液成分測定装置１０のブロック図である。本体２０はさらに操作部２１、電源部２２、制御部２３、調節部２４、荷重センサ２５、報知部２６、および、記憶部２７を備える。操作部２１は少なくとも電源スイッチ２１Ａおよび測定スイッチ２１Ｂを備える。電源スイッチ２１Ａは例えば押しボタンスイッチである。電源スイッチ２１Ａがオフの状態の場合、電源部２２からの電力は制御部２３に供給されない。電源スイッチ２１Ａがオンの状態の場合、制御部２３に電源部２２からの電力が供給される。測定スイッチ２１Ｂは例えばタクタルスイッチである。測定スイッチ２１Ｂが押された場合、血液成分の測定を要求する信号が制御部２３に送信される。制御部２３はその信号を受信した場合、血液成分の測定に関連する所定の処理を実行する。所定の処理の内容は任意に設定できる。第１例では、制御部２３は血液成分に関する測定精度を高めるための処理を実行し、その後に血液成分を測定するための処理を実行する。第２例では、制御部２３は血液成分を測定するための処理を実行する。
【００３３】
電源部２２は本体２０の電源の直流を直流に変換する電源回路を備える。本体２０の電源は例えば本体２０に設けられるバッテリまたは太陽電池である。電源部２２は電源の電力を供給できるように制御部２３、調節部２４、荷重センサ２５、報知部２６、記憶部２７、および、検出部４０と電気的に接続される。調節部２４、荷重センサ２５、報知部２６、記憶部２７、および、検出部４０には制御部２３の動作に応じて電源部２２の電力が供給される。
【００３４】
調節部２４は本体２０と検出部４０との距離を調節する。調節部２４は本体２０に対して検出部４０を所定の方向に移動させる。本体２０と検出部４０との距離の調節は生体Ｂと検出部４０との距離(以下「測定距離」という)を調節するために行われる。調節部２４の構成は任意に選択できる。第１例では、調節部２４は１または複数の電動アクチュエータ２４Ａを備える。電動アクチュエータ２４Ａは例えば圧電アクチュエータ、ソレノイド、ボールねじ、または、電動シリンダから選択される。調節部２４が複数の電動アクチュエータ２４Ａを備える場合、同じ種類の複数の電動アクチュエータ２４Ａを備える形態、および異なる種類の複数の電動アクチュエータ２４Ａを備える形態を選択できる。第２例では、調節部２４は電気エネルギを用いることなく検出部４０を移動させる運動変換機構を備える。運動変換機構はユーザが操作する操作部、および、操作部の操作に応じて検出部４０を本体２０に対して移動させる変換部により構成される。操作部の一例はダイヤルおよびレバーである。変換部の一例はシリンダ機構、ばね機構、および、ボールねじである。第３例では、調節部２４は第１例の調節部２４および第２例の調節部２４の両方を備える。
【００３５】
所定の方向における本体２０に対する検出部４０の位置は第１位置から第２位置の間で調節できる。図４は検出部４０の位置が第１位置の場合の本体２０および検出部４０の断面を示す。第１位置は所定の方向において検出部４０が本体２０に最も近く、測定対象部位から最も遠い位置である。検出部４０の位置が第１位置である場合、測定距離は調節可能な範囲において最も長い。図５は検出部４０の位置が第２位置の場合の本体２０および検出部４０の断面を示す。第２位置は所定の方向において検出部４０が本体２０から最も遠く、測定対象部位に最も近い位置である。検出部４０の位置が第２位置である場合、測定距離は調節可能な範囲において最も短い。
【００３６】
調節部２４が取り得る種々の構成を例示する。第１例の調節部２４は発光部４１および受光部４２の両方を本体２０に対して移動させる。これには例えば次の構成が含まれる。調節部２４は第１例〜第３例の検出部４０の１つの支持台４３を本体２０に対して移動させる。調節部２４は第４例の検出部４０における発光部４１が設けられる支持台４３および受光部４２が設けられる支持台４３の少なくとも１組を本体２０に対して移動させる。調節部２４は第５例の検出部４０における発光部４１および受光部４２が設けられる支持台４３の少なくとも１つを本体２０に対して移動させる。調節部２４は第６例の検出部４０における発光部４１が設けられる支持台４３および受光部４２が設けられる支持台４３の少なくとも１組、ならびに、発光部４１および受光部４２が設けられる支持台４３の少なくとも１つを本体２０に対して移動させる。第２例の調節部２４は発光部４１を本体２０に対して移動させ、受光部４２を本体２０に対して移動させない。具体的には、調節部２４は第４例または第６例の検出部４０における発光部４１だけが設けられる支持台４３の少なくとも１つを本体２０に対して移動させ、受光部４２が設けられる支持台４３を本体２０に対して移動させない。受光部４２を本体２０に対して移動させないとは、受光部４２を本体２０に対して移動させることができるように調節部２４が構成される場合に調節部２４が受光部４２を本体２０に対して移動させない場合、および、調節部２４が受光部４２を本体２０に対して移動させるようには構成されていない場合を含む。第３例の調節部２４は受光部４２を本体２０に対して移動させ、発光部４１を本体２０に対して移動させない。具体的には、調節部２４は第５例または第６例の検出部４０における受光部４２だけが設けられる支持台４３の少なくとも１つを本体２０に対して移動させ、受光部４２が設けられる支持台４３を本体２０に対して移動させない。受光部４２を本体２０に対して移動させないとは、受光部４２を本体２０に対して移動させることができるように調節部２４が構成される場合に調節部２４が受光部４２を本体２０に対して移動させない場合、および、調節部２４が受光部４２を本体２０に対して移動させるようには構成されていない場合を含む。
【００３７】
図２、図４、図５では複数の電動アクチュエータ２４Ａを備える調節部２４を例示している。調節部２４は４つの電動アクチュエータ２４Ａを備える。各電動アクチュエータ２４Ａの種類は同じである。図４および図５に示される電動アクチュエータ２４Ａはモータとボールねじとが組み合わせられたボールねじアクチュエータ２４Ｂである。電動アクチュエータ２４Ａはハウジング３０の主壁３１の内面３１Ａと支持台４３の第１主面４３Ａとの間に配置される。具体的には、主壁３１の内面３１Ａの四隅のそれぞれと支持台４３の四隅のそれぞれとの間に各電動アクチュエータ２４Ａが配置される。ハウジング３０および支持台４３に対する電動アクチュエータ２４Ａの位置は固定手段(図示略)により固定される。固定手段の一例は電動アクチュエータ２４Ａの第１端部を収容できるように内面３１Ａに設けられる筒、および、電動アクチュエータ２４Ａの第２端部を収容できるように第１主面４３Ａに設けられる筒である。
【００３８】
ボールねじアクチュエータ２４Ｂはねじ軸２４Ｃおよびナット２４Ｄを備える。ねじ軸２４Ｃは所定の方向に沿うように設けられる。ねじ軸２４Ｃはハウジング３０に対して回転し、かつ、所定方向に移動しないようにハウジング３０に支持される。モータ（図示略）はねじ軸２４Ｃを回転させる。ナット２４Ｄはねじ軸２４Ｃに結合される。支持台４３とナット２４Ｄとは互いに連結される。制御部２３はモータを制御する。モータの回転によりねじ軸２４Ｃが回転する。ナット２４Ｄはねじ軸２４Ｃの回転方向に応じて第１方向または第２方向に移動する。ナットの移動にともない支持台４３が本体２０に対して第１方向または第２方向に移動する。
【００３９】
荷重センサ２５は測定対象部位にかかる荷重を測定する。一例では、本体２０は複数の荷重センサ２５を備える。各荷重センサ２５は支持台４３の第２主面４３Ｂの四隅のそれぞれに設けられる。荷重センサ２５の一例はロードセルである。荷重センサ２５は測定対象部位にかかる荷重を反映した信号を制御部２３に送信する。信号は例えば電圧である。本体２０に複数の荷重センサ２５が設けられる場合、制御部２３は複数の荷重センサ２５の測定結果を参照して代表値を求める。
【００４０】
報知部２６は血液成分の測定に関する測定情報を出力する。報知部２６は音、光、および、振動の１つまたは複数を用いて測定情報を出力する。測定情報の一例は血液成分の測定結果、血液成分の測定が開始されること、血液成分の測定中であること、血液成分の測定が終了したこと、および、血液成分の測定方法に関する案内である。報知部２６が出力する測定情報の内容は報知部２６の構成に応じて決められる。図示される例では、報知部２６はＬＥＤ発光素子を備える。
【００４１】
制御部２３は演算処理装置により構成される。演算処理装置は例えばＣＰＵ(Central Processing Unit)およびＭＰＵ(Micro Processing Unit)の一方または両方により構成される。制御部２３は血液成分を測定するための測定制御を実行する。記憶部２７は例えばＲＡＭ(Random Access Memory)およびＲＯＭ(Read Only Memory)の一方または両方により構成される。記憶部２７には測定制御を記述したプログラム、および、測定制御において参照される各種の値が記憶される。制御部２３は調節部２４、荷重センサ２５、報知部２６、記憶部２７、発光部４１、および、受光部４２のそれぞれと通信できるように電気的に接続される。一例では、制御部２３および記憶部２７は支持台４３に実装される。
【００４２】
測定制御には検出部４０の制御、調節部２４の制御、および、血液成分に関する種々の解析のための解析処理が含まれる。解析処理では、受光部４２の測定結果を参照し、血液中のグルコースの濃度である血糖値または血液中の脂質の濃度を血液成分の測定結果として出力する。一例では、測定制御は脈波検出フェーズおよび成分測定フェーズを含む。脈波検出フェーズでは検出部４０により脈波を検出する。発光部４１は脈波の検出に適した光を出力する。制御部２３は受光部４２の測定結果に現れる波高値または心拍間隔の少なくとも一方を参照して脈波を検出する。成分測定フェーズでは発光部４１はグルコースまたは脂質の検出に適した光を出力する。制御部２３は受光部４２の測定結果に基づいて、測定対象の血液成分を解析する。血液成分の解析では実測された血液成分量と受光部４２の測定結果とを対応させた検量モデルに受光部４２の測定結果が入力される。検量モデルは測定対象の血液成分ごとに予め用意され、記憶部２７に記憶される。
【００４３】
脈波検出フェーズは成分測定フェーズよりも先に実行される。脈波検出フェーズにより脈波が検出された場合、成分測定フェーズが実行される。脈波検出フェーズは距離調節フェーズおよび感度調節フェーズの少なくとも一方を含む。距離調節フェーズでは検出部４０により脈波が検出されるように測定距離を調節する。これは脈波が検出される検出部４０の位置のサーチに相当する。感度調節フェーズでは検出部４０により脈波が検出されるように受光部４２の感度を調節する。これは脈波が検出される受光部４２の感度のサーチに相当する。
【００４４】
距離調節フェーズでは制御部２３は検出部４０により脈波が検出されるまで第１処理および第２処理を交互に繰り返す。制御部２３は距離調節フェーズの実行にあたり検出部４０の位置に関する所定の開始位置および所定の終了位置を設定する。所定の開始位置は距離調節フェーズにおける検出部４０の初期位置である。所定の終了位置は距離調節フェーズにおける検出部４０の最終位置である。所定の調節距離は所定の開始位置と所定の終了位置との距離よりも短い。所定の開始位置、所定の終了位置、および、所定の調節距離は記憶部２７に記憶される。第１処理では検出部４０により脈波が検出されない場合に検出部４０の位置が所定の終了位置に近づくように調節部２４に検出部４０を所定の調節距離だけ移動させる。第２処理では検出部４０が所定の調節距離を移動した場合に検出部４０により脈波が検出されたか否かを確認する。
【００４５】
所定の開始位置および所定の終了位置は任意に設定できる。第１例では、所定の開始位置は第１位置、または、第１位置と第２位置との間の中間位置である。所定の終了位置は第２位置、または、第１位置と第２位置との間であり、かつ、所定の開始位置よりも第２位置に近い中間位置である。第２例では、所定の開始位置は第２位置、または、第１位置と第２位置との間の中間位置である。所定の終了位置は第１位置、または、第１位置と第２位置との間であり、かつ、所定の開始位置よりも第２位置に近い中間位置である。所定の開始位置と所定の終了位置との距離が長いほど、距離調節フェーズの終了までに第１処理および第２処理が実行される回数が多くなる。所定の開始位置と所定の終了位置との距離が短いほど、距離調節フェーズを終了するタイミングが早くなる。
【００４６】
一例では、所定の調節距離は第１位置と第２位置との距離を等分または不等分した距離である。所定の調節距離が短いほど、距離調節フェーズの終了までに第１処理および第２処理が実行される回数が多くなる。所定の調節距離が長いほど、距離調節フェーズを終了するタイミングが早くなる。
【００４７】
図６は検出部４０の位置と受光部４２の受光量との関係を確認するための試験結果であり、所定の開始位置である第１位置から所定の終了位置である第２位置まで検出部４０を移動させた場合の受光部４２の測定結果の一例である。検出部４０の位置が第１中間位置に到達することにともない脈波が検出される。検出部４０の位置が第１中間位置と第２中間位置との間である場合、継続的に脈波が検出される。検出部４０の位置が第２中間位置を超えると脈波が検出されなくなる。
【００４８】
距離調節フェーズの終了条件は任意に設定できる。第１例では、終了条件は検出部４０の位置が所定の終了位置に到達したことである。制御部２３は距離調節フェーズにおいて検出部４０の位置が所定の終了位置に到達したか否かを判定する第１判定を実行し判定結果が肯定である場合、距離調節フェーズを終了する。第２例では、終了条件は荷重センサ２５の測定値が所定の荷重を超えたことである。所定の荷重は記憶部２７に記憶される。制御部２３は距離調節フェーズにおいて荷重センサ２５の測定値が所定の荷重を超えたか否かを判定する第２判定を実行し、判定結果が肯定である場合、距離調節フェーズを終了する。第３例では、第１例の終了条件および第２例の終了条件の両方が用いられる。制御部２３は距離調節フェーズにおいて第１判定および第２判定を実行し、少なくとも一方の判定結果が肯定である場合、距離調節フェーズを終了する。
【００４９】
検出部４０と測定対象部位との接触にともない測定対象部位にかかる荷重はユーザが感じする快および不快の感覚に影響する。典型的には測定対象部位にかかる荷重が大きい場合、ユーザが不快感を覚えることがある。所定の荷重はユーザが不快感を覚える前に第１方向への検出部４０の移動を停止できるように決められる。一例では、所定の荷重は複数の被験者を対象に、荷重センサ２５の測定値と検出部４０との接触による被験者の感覚との関係を調べる試験を実施し、その結果を参照して設定される。荷重センサ２５の測定値が所定の荷重以下の条件のもとでは、検出部４０が本体２０に対して第１方向に移動してもユーザが不快感を覚えにくい。
【００５０】
感度調節フェーズでは制御部２３は検出部４０により脈波が検出されるまで第３処理および第４処理を交互に繰り返す。第３処理では検出部４０により脈波が検出されない場合に受光部４２の感度を所定の調節感度だけ変化させる。第４処理では受光部４２の感度が所定の調節感度だけ変化した場合に検出部４０により脈波が検出されたか否かを確認する。制御部２３は感度調節フェーズの実行にあたり受光部４２の感度に関する所定の開始感度および所定の終了感度を設定する。所定の開始感度は感度調節フェーズにおける受光部４２の最低感度である。所定の終了感度は感度調節フェーズにおける受光部４２の最高感度である。所定の調節感度は所定の開始感度と所定の終了感度との差よりも小さい。所定の開始感度、所定の終了感度、および、所定の調節感度は記憶部２７に記憶される。第３処理では検出部４０により脈波が検出されない場合に受光部４２の感度が所定の終了感度に近づくように受光部４２の感度を所定の調節感度だけ変化させる。第４処理では受光部４２の感度が所定の調節感度だけ変化した場合に検出部４０により脈波が検出されたか否かを確認する。
【００５１】
所定の開始感度および所定の終了感度は任意に設定できる。第１例では、所定の開始感度は最低感度、または、最低感度と最高感度との間の中間感度である。所定の終了感度は最高感度、または、最低感度と最高感度との間であり、かつ、所定の開始感度よりも高い中間感度である。第２例では、所定の開始感度は最高感度、または、最低感度と最高感度との間の中間感度である。所定の終了感度は最低感度、または、最低感度と最高感度との間であり、かつ、所定の開始感度よりも低い中間感度である。所定の開始感度と所定の終了感度との差が大きいほど、感度調節フェーズの終了までに第３処理および第４処理が実行される回数が多くなる。所定の開始感度と所定の終了感度との差が小さいほど、感度調節フェーズを終了するタイミングが早くなる。
【００５２】
一例では、所定の調節感度は最低感度と最高感度との差を等分または不等分した感度である。所定の調節感度が小さいほど、感度調節フェーズの終了までに第３処理および第４処理が実行される回数が多くなる。所定の調節感度が長いほど、感度調節フェーズを終了するタイミングが早くなる。
【００５３】
図７は受光部４２の感度と受光部４２の受光量との関係を確認するための試験結果であり、所定の開始感度である最低感度から所定の終了感度である最高感度まで受光部４２の感度を変化させた場合の受光部４２の測定結果の一例である。受光部４２の感度が第１中間感度に到達することにともない脈波が検出される。受光部４２の感度が第１中間感度と第２中間感度との間である場合、継続的に脈波が検出される。受光部４２の感度が第２中間感度を超えると脈波が検出されなくなる。
【００５４】
制御部２３は操作部２１の測定スイッチ２１Ｂが操作されたことに応じて測定制御のプログラムを実行する。図８は測定制御のプログラムに関するフローチャートである。ステップＳ１１〜ステップＳ１８は脈波検出フェーズに相当する。ステップＳ１９は成分測定フェーズに相当する。ステップＳ１２〜ステップＳ１６は距離調節フェーズに相当する。ステップＳ１１では、制御部２３は受光部４２の感度を最低感度に設定する。ステップＳ１２では、制御部２３は検出部４０の位置が所定の開始位置に設定されるように調節部２４を制御する。ステップＳ１３では、制御部２３は測定対象部位に光が照射されるように発光部４１を制御する。受光部４２は動作中に継続的に制御部２３に信号を送信する。受光部４２が測定対象部位からの反射光を受光する場合、制御部２３に送信される信号には受光部４２が受光した反射光の情報が反映される。ステップＳ１４では、制御部２３は受光部４２の測定結果を参照し、脈波が検出されたか否かを判定する。ステップＳ１４の判定結果が肯定の場合、制御部２３はステップＳ１９を実行する。ステップＳ１９では、制御部２３は血液成分の測定が開始されるように検出部４０を制御する。
【００５５】
ステップＳ１４の判定結果が否定の場合、制御部２３はステップＳ１５を実行する。ステップＳ１５では、制御部２３は検出部４０が第１方向に所定の調節距離だけ移動するように調節部２４を制御する。所定の調節距離は記憶部２７に予め記憶されている。所定の調節距離は任意に設定される。所定の調節距離が短くなるほど、検出部４０により脈波が検出されたか否かを判定する回数が多くなる。所定の調節距離が長くなるほど、その判定回数が少なくなり、受光部４２の感度を変更する処理に移行するタイミングが早くなる。
【００５６】
ステップＳ１６では、制御部２３は検出部４０の位置が所定の終了位置であるか否かを判定する。ステップＳ１６の判定結果が否定の場合、制御部２３はステップＳ１３を再度実行する。ステップＳ１６の判定結果が肯定の場合、制御部２３はステップＳ１７を実行する。ステップＳ１７では、制御部２３は受光部４２の感度が最高感度か否かを判定する。ステップＳ１７の判定結果が肯定の場合、制御部２３はステップＳ２０を実行する。受光部４２の感度が最高感度に設定された状態で脈波が検出されない場合、ステップＳ１７の判定結果が否定となる。脈波を検出するための検出部４０の位置、および、受光部４２の感度のいずれもが調節可能な範囲の限界に達しているため、ステップＳ１７で否定判定された状態のままでは脈波を検出できない。ステップＳ２０では、制御部２３は脈波に関する所定の情報が出力されるように報知部２６を制御する。脈波に関する情報は例えば測定結果情報および測定案内情報を含む。測定結果情報は、検出部４０の位置および受光部４２の感度の調節では脈波が検出されなかったことを示す情報を含む。測定案内情報は、脈波を検出するために生体Ｂに対する本体２０の位置を現在の位置とは別の位置に変更することを案内する情報を含む。
【００５７】
ステップＳ１８では、制御部２３は受光部４２の感度を所定の調節感度だけ高くする。所定の調節感度は記憶部２７に予め記憶されている。所定の調節感度は任意に設定される。所定の調節感度が小さいほど、受光部４２の感度が最高感度に達するまでに実行される感度の変更回数が多くなる。所定の調節感度が大きくなるほど、その変更回数が少なくなり、報知部２６に所定の情報を出力させる処理に移行するタイミングが早くなる。制御部２３はステップＳ１８を実行した後にステップＳ１２を再度実行する。
【００５８】
図９は経口ブドウ糖負荷試験の被験者の血糖値を血液成分測定装置１０および比較例の血液成分測定装置により測定した結果の一例である。比較例の血液成分測定装置は測定距離の調節機能、および、検出部の測定結果を参照した受光部の感度の調節機能を含まない血液成分測定装置である。図中の曲線Ｌ１は第１試験条件で実施された測定結果の一例である。図中の曲線Ｌ２は第２試験条件で実施された測定結果の一例である。図中の曲線Ｌ３は第３試験条件で実施された測定結果の一例である。第１試験条件は血液成分測定装置１０を用い、かつ、脈波が検出される条件で血糖値を測定することである。第２試験条件は比較例の血液成分測定装置を用い、かつ、受光部の感度を高い感度に設定することである。第３試験条件は比較例の血液成分測定装置を用い、かつ、受光部の感度を低い感度に設定することである。図中の時刻Ｔ１０は被験者がブドウ糖を摂取した時刻である。
【００５９】
曲線Ｌ１ではブドウ糖の摂取にともなう血糖値の増加が現れている。曲線Ｌ２および曲線Ｌ３ではブドウ糖の摂取前後でおおよそ同じ測定結果が示されている。この試験結果から、血液成分測定装置１０を用いることにより適切に血糖値を測定できることが確認された。なお、血液成分測定装置１０を用いて血糖値以外の血液成分を測定する場合にも同様の効果が得られる。
【００６０】
(実施の形態２)
実施の形態２の血液成分測定装置１０の構成は実施の形態１の血液成分測定装置１０の構成と一部相違し、それ以外の点では実質的に同一である。主な相違点は実施の形態２の測定制御では脈波の検出のために受光部４２の感度を先に調節し、受光部４２の感度の調節では脈波が検出されない場合に検出部４０の位置を調節する点である。
【００６１】
制御部２３は操作部２１の測定スイッチ２１Ｂが操作されたことに応じて測定制御のプログラムを実行する。図１０は測定制御のプログラムに関するフローチャートである。ステップＳ３１〜ステップＳ３８は脈波検出フェーズに相当する。ステップＳ３９は成分測定フェーズに相当する。ステップＳ３２〜ステップＳ３６は感度調節フェーズに相当する。ステップＳ３１では、制御部２３は検出部４０の位置が所定の開始位置に設定されるように調節部２４を制御する。ステップＳ３２では、制御部２３は受光部４２の感度を最低感度に設定する。ステップＳ３３では、制御部２３は測定対象部位に光が照射されるように発光部４１を制御する。受光部４２は動作中に継続的に制御部２３に信号を送信する。受光部４２が測定対象部位からの反射光を受光する場合、制御部２３に送信される信号には受光部４２が受光した反射光の情報が反映される。ステップＳ３４では、制御部２３は受光部４２の測定結果を参照し、脈波が検出されたか否かを判定する。ステップＳ３４の判定結果が肯定の場合、制御部２３はステップＳ３９を実行する。ステップＳ３９では、制御部２３は血液成分の測定が開始されるように検出部４０を制御する。
【００６２】
ステップＳ３４の判定結果が否定の場合、制御部２３はステップＳ３５を実行する。ステップＳ３５では、制御部２３は受光部４２の感度を所定の調節感度だけ高くする。所定の調節感度は記憶部２７に予め記憶されている。所定の調節感度は任意に設定される。所定の調節感度が小さいほど、受光部４２の感度が最高感度に達するまでに実行される感度の変更回数が多くなる。所定の調節感度が大きくなるほど、その変更回数が少なくなり、報知部２６に所定の情報を出力させる処理に移行するタイミングが早くなる。
【００６３】
ステップＳ３６では、制御部２３は受光部４２の感度が最高感度か否かを判定する。ステップＳ３６の判定結果が否定の場合、制御部２３はステップＳ３３を再度実行する。ステップＳ３６の判定結果が肯定の場合、制御部２３はステップＳ３７を実行する。ステップＳ３７では、制御部２３は検出部４０の位置が所定の終了位置であるか否かを判定する。ステップＳ３７の判定結果が肯定の場合、制御部２３はステップＳ４０を実行する。検出部４０の位置が所定の終了位置に存在する状態で脈波が検出されない場合、ステップＳ３７の判定結果が否定となる。受光部４２の感度、および、脈波を検出するための検出部４０の位置のいずれもが調節可能な範囲の限界に達しているため、ステップＳ３７で否定判定された状態のままでは脈波を検出できない。ステップＳ４０では、制御部２３は脈波に関する所定の情報が出力されるように報知部２６を制御する。脈波に関する所定の情報は例えば測定結果情報および測定案内情報を含む。測定結果情報は、検出部４０の位置および受光部４２の感度の調節では脈波が検出されなかったことを示す情報を含む。測定案内情報は、脈波を検出するために生体Ｂに対する本体２０の位置を現在の位置とは別の位置に変更することを案内する情報を含む。
【００６４】
ステップＳ３８では、制御部２３は検出部４０が第１方向に所定の調節距離だけ移動するように調節部２４を制御する。所定の調節距離は記憶部２７に予め記憶されている。所定の調節距離は任意に設定される。所定の調節距離が短くなるほど、検出部４０により脈波が検出されたか否かを判定する回数が多くなる。所定の調節距離が長くなるほど、その判定回数が少なくなり、受光部４２の感度を変更する処理に移行するタイミングが早くなる。制御部２３はステップＳ３８を実行した後にステップＳ３２を再度実行する。
【００６５】
(実施の形態３)
実施の形態３の血液成分測定装置１０の構成は実施の形態１の血液成分測定装置１０の構成と一部相違し、それ以外の点では実質的に同一である。主な相違点は実施の形態３の検出部４０が実施の形態１で例示された検出部４０の第２例の構成を備える点である。
【００６６】
図１１は実施の形態３の検出部４０の正面図である。検出部４０は１つの発光部４１、複数の受光部４２、および、１つの支持台４３を備える。図示される例では、第２主面４３Ｂに８つの受光部４２が設けられる。各受光部４２は発光部４１を取り囲むように配置される。発光部４１と各受光部４２との距離は等しい。脈波検出フェーズでは、制御部２３は測定対象部位に光が照射されるように発光部４１を制御する。複数の受光部４２は継続的に制御部２３に信号を送信する。制御部２３は複数の受光部４２の信号を受信し、受光部４２毎に脈波の検出の有無を判定する。制御部２３は複数の受光部４２のうち少なくとも１つの受光部４２により脈波が検出されていると判定した場合、成分測定フェーズに移行する。成分測定フェーズでは脈波を検出した受光部４２を使用して、測定対象の血液成分を測定する。
【００６７】
（実施の形態４）
実施の形態４の血液成分測定装置１０の構成は実施の形態１の血液成分測定装置１０の構成と一部相違し、それ以外の点では実質的に同一である。主な相違点は実施の形態４の脈波の検出のために発光部４１の光量を調節する光量調節フェーズが脈波検出フェーズに含まれる点である。距離調節フェーズ、感度調節フェーズ、および、光量調節フェーズの実行順序は任意に選択できる。一例では、光量調節フェーズが距離調節フェーズおよび感度調節フェーズよりも先に実行される。
【００６８】
光量調節フェーズでは制御部２３は検出部４０により脈波が検出されるまで第５処理および第６処理を交互に繰り返す。第５処理では検出部４０により脈波が検出されない場合に発光部４１の光量を所定の調節光量だけ変化させる。第６処理では発光部４１の光量が所定の調節光量だけ変化した場合に検出部４０により脈波が検出されたか否かを確認する。制御部２３は光量調節フェーズの実行にあたり発光部４１の光量に関する所定の開始光量および所定の終了光量を設定する。所定の開始光量は光量調節フェーズにおける発光部４１の最低光量である。所定の終了光量は光量調節フェーズにおける発光部４１の最高光量である。所定の調節光量は所定の開始光量と所定の終了光量との差よりも小さい。所定の開始光量、所定の終了光量、および、所定の調節光量は記憶部２７に記憶される。第５処理では検出部４０により脈波が検出されない場合に発光部４１の光量が所定の終了光量に近づくように発光部４１の光量を所定の調節光量だけ変化させる。第６処理では発光部４１の光量が所定の調節光量だけ変化した場合に検出部４０により脈波が検出されたか否かを確認する。
【００６９】
所定の開始光量および所定の終了光量は任意に設定できる。第１例では、所定の開始光量は最低光量、または、最低光量と最高光量との間の中間光量である。所定の終了光量は最高光量、または、最低光量と最高光量との間であり、かつ、所定の開始光量よりも高い中間光量である。第２例では、所定の開始光量は最高光量、または、最低光量と最高光量との間の中間光量である。所定の終了光量は最低光量、または、最低光量と最高光量との間であり、かつ、所定の開始光量よりも低い中間光量である。所定の開始光量と所定の終了光量との差が大きいほど、光量調節フェーズの終了までに第５処理および第６処理が実行される回数が多くなる。所定の開始光量と所定の終了光量との差が小さいほど、光量調節フェーズを終了するタイミングが早くなる。
【００７０】
一例では、所定の調節光量は最低光量と最高光量との差を等分または不等分した光量である。所定の調節光量が小さいほど、光量調節フェーズの終了までに第５処理および第６処理が実行される回数が多くなる。所定の調節光量が長いほど、光量調節フェーズを終了するタイミングが早くなる。
【００７１】
なお、上記各実施の形態に関する説明は本発明に関する血液成分測定装置が取り得る形態の例示であり、その形態を制限することを意図していない。本発明は上記各実施の形態以外に例えば各実施の形態の変形例、および、相互に矛盾しない少なくとも２つの変形例が組み合わせられた形態を取り得る。
【産業上の利用可能性】
【００７２】
本発明に関する血液成分測定装置は、家庭用および業務用をはじめとする各種の血液成分測定装置に利用できる。
【符号の説明】
【００７３】
１０  ：血液成分測定装置
２０  ：本体
２１  ：操作部
２１Ａ：電源スイッチ
２１Ｂ：測定スイッチ
２２  ：電源部
２３  ：制御部
２４  ：調節部
２４Ａ：電動アクチュエータ
２４Ｂ：ボールねじアクチュエータ
２４Ｃ：ねじ軸
２４Ｄ：ナット
２５  ：荷重センサ
２６  ：報知部
２７  ：記憶部
３０  ：ハウジング
３０Ａ：収容空間
３１  ：主壁
３１Ａ：内面
３２  ：開口部
４０  ：検出部
４１  ：発光部
４２  ：受光部
４３  ：支持台
４３Ａ：第１主面
４３Ｂ：第２主面
５０  ：バンド
Ｌ１  ：曲線
Ｌ２  ：曲線
Ｌ３  ：曲線
Ｔ１０：時刻
Ｂ    ：生体
【図１】
2020018368.tif 000003
【図２】
2020018368.tif 000004
【図３】
2020018368.tif 000005
【図４】
2020018368.tif 000006
【図５】
2020018368.tif 000007
【図６】
2020018368.tif 000008
【図７】
2020018368.tif 000009
【図８】
2020018368.tif 000010
【図９】
2020018368.tif 000011
【図１０】
2020018368.tif 000012
【図１１】
2020018368.tif 000013